(57)【要約】【課題】複数の異焦点画像を簡易かつ同時に切り替えることができる電子撮像装置を提供すること。【解決手段】撮像素子と光学系を有し、前記光学系は、第一と第二の焦点距離を有する光路に分離する手段を有し、前記異焦点光路については相互に光軸が交差し、偏光選択により焦点距離を切り替えることを特徴とする。【選択図】図１
2016129276.tif 000002
【特許請求の範囲】
【請求項１】
撮像素子と光学系を有し、
前記光学系は、第一と第二の焦点距離を有する光路に分離する手段を有し、
前記第一と第二の異焦点光路については相互に光軸が交差し、
偏光選択により焦点距離を切り替えることを特徴とする電子撮像装置。
【請求項２】
前記光学系の異焦点光路については、相互に共通な光路を有することを特徴とする請求項１に記載の電子撮像装置。
【請求項３】
前記光学系を構成する第一および第二の光学系について、相互に光軸を分離した後、合流して同じ１枚の撮像素子に像を結ぶことを特徴とする請求項１に記載の電子撮像装置。
【請求項４】
前記分離手段で反射する第二の光路について、２回目に分離手段に入射する際には、透過し、３回目に分離手段に入射する際には、反射することを特徴とする請求項１に記載の電子撮像装置。
【請求項５】
前記光学系には、偏光分離手段と、前記偏光分離手段を往復する光路を有することを特徴とする請求項１に記載の電子撮像装置。
【請求項６】
前記往復光路中には反射手段を有することを特徴とする請求項５に記載の電子撮像装置。
【請求項７】
前記反射手段を有し往復する第二の光学系は、第一の光学系よりも焦点距離が長いことを特徴とする請求項１に記載の電子撮像装置。
【請求項８】
前記撮像素子は１つで素子上に偏光子を有し、異焦点画像を同時取得することを特徴とする請求項１に記載の電子撮像装置。
【発明の詳細な説明】
【技術分野】
【０００１】
本発明は、光学系に光路分離手段を配し、偏光選択手段によって、前記分離した第一および第二の光路の焦点距離を切り替えることができる電子撮像装置に関する。
【背景技術】
【０００２】
異焦点画角の画像を１つの電子撮像素子にて、同時に撮像したいといった要求がある。例えば、広角域の画像をビューファインダーで観察しながら、望遠域の画像を撮影するといったニーズなどに相当する。
【０００３】
従来、撮像光学系を構成するレンズの径方向に光束を分離して、各々の径領域毎に所望焦点距離になるような素子を配置することで、１つの電子撮像素子に同時に異焦点画像を取得する例などが開示されている（特許文献１）。また、特許文献２には偏光分離素子を用いて、光路を２つに分離分割して２枚の撮像素子に同時に画像を取り込む例が開示されている。
【先行技術文献】
【特許文献】
【０００４】
【特許文献１】特開平３−１９４５０２号公報
【特許文献２】特開２０１０−２８６８２８号公報
【発明の概要】
【発明が解決しようとする課題】
【０００５】
しかしながら、特許文献１に開示された例は、構成するレンズの径方向に光学系を分離していることから、レンズ径の内と外領域を通過する光学系によっては解像限界値に差がでる、または構成素子、レンズおよび組み立てなどの製造難易度も高くなる。また、同時取得した各々の異焦点画像の分離、切り替え手段については言及されていない。
【０００６】
一方、特許文献２は、偏光技術を使って光路を分離しているが、各分離光路にそれぞれ１枚ずつ計２枚の撮像素子を使いながら、各々の分離光学系における焦点距離は同じであり異焦点画像を得ることはできていない。つまり、オートフォーカス時のピント精度向上目的のための発明である。
【０００７】
本発明の目的は、複数の異焦点画像を簡易かつ同時に切り替えることができる電子撮像装置を提供することにある。
【課題を解決するための手段】
【０００８】
上記の目的を達成するために、本発発明の電子撮像装置は、
撮像素子と光学系を有し、
前記光学系は、第一と第二の焦点距離を有する光路に分離する手段を有し、
前記第一と第二の異焦点光路については相互に光軸が交差し、
偏光選択により焦点距離を切り替えることを特徴とする。
【発明の効果】
【０００９】
本発明によれば、複数の異焦点画像を簡易かつ同時に切り替えることができる電子撮像装置の提供を実現できる。
【図面の簡単な説明】
【００１０】
【図１】実施形態１の電子撮像装置を示す図
【図２】撮像素子を説明する図
【図３】実施形態２の電子撮像装置を示す図
【図４】実施形態３の電子撮像装置を示す図
【図５】実施形態３の電子撮像装置について非撮影時の収納を示す図
【図６】第二の光学系の偏光作用を説明する図
【図７】実施形態の偏光分離手段の透過率特性図
【発明を実施するための形態】
【００１１】
以下、本発明を実施するための形態を図面に基づいて説明する。
【００１２】
［実施形態１］
図１は実施形態１について超望遠レンズに適用した場合の概略構成図である。電子撮像装置１は、撮像光学系１０とカメラ部２からなる。カメラ部は、撮像素子１４と、液晶表示部１５とを有する。前記撮像素子１４には、偏光選択手段１６が設けられている。
【００１３】
図２は撮像素子１４の一例を示している。ＣＣＤ４１の上に偏光子アレイ４０を形成し、各ＣＣＤ画素（イ）’および（ロ）’などに対応した位置に所望の偏光子アレイ（イ）（ロ）を構築すればよい。例えば撮像素子の各画素上にフォトニック結晶などで偏光機能素子を構成配置することなどで実現できるものである。偏光選択手段は吸収タイプの偏光子に限ったものではなく、反射タイプのものであっても良い。
【００１４】
撮像光学系は被写体からの光を前玉凸レンズ（Ｇ１）にて取り込んだ後に、分離手段１１によって第一および第二の光学系に光束が分離される。具体的に前記光束分離手段としては、偏光分離素子（偏光ビームスプリッターなど）としている。透過率としては図７のような特性としている。この特性によれば、可視光領域については入射角度４５°の場合、Ｐ偏光成分は略１００％透過し、Ｓ偏光成分は略１００％反射することがわかる。
【００１５】
第一の光学系については分離手段を透過して、像側に配置されるリレー部を通して、撮像素子に被写体の像を結ぶような光路となる。この場合、偏光分離手段によって第一および第二の光学系との間で光量を約半分ずつ分け合うことになる。
【００１６】
一方、第二の光学系について前記分離手段を反射した光束は、ミラー１：１２によって光路を折り返して再度分離手段に入射するが、この場合は分離手段を透過することになる。その後、ミラー２：１３によって再度光路を折り返して、分離手段によって反射して第一の光学系と共通であるリレー部に入射して撮像素子に被写体の像を結ぶものである。
【００１７】
前記分離手段を反射した光束について、もう少し詳しく説明する。前記、ミラー１に入射するＳ偏光（分離素子入射平面に対して垂直振動をもつ）光束は、１／４λ位相板：１７などによって例えば右回り円偏光となる。
【００１８】
前記ミラーによる反射については、反射率が高い金属膜などで構成するが、このミラー反射により、半波長の位相差が発生することによって左回り円偏光となり、前記１／４λ板によって直線Ｐ偏光（分離素子入射平面に対して平行振動をもつ）に変換される。この作用によって、前記分離手段を透過することができる。
【００１９】
同様に、ミラー２に入射するＰ偏光光束は、１／４λ位相板などによって例えば右回り円偏光となり、前記ミラー反射により半波長の位相とびによって左回り円偏光となり、前記１／４λ板によって直線Ｓ偏光に変換される。この作用によって、前記分離手段を反射して、リレー部に光束を導くことができるものである。
【００２０】
図６を用いて、上記第二光学系光路の偏光作用についてミュラー行列（ストークスパラメター）計算にて確認する。一般に、光の偏光状態はストークスベクトルで記述することができる。ストークスベクトルは４行ｘ１列の行列式で表され、行を構成する４成分は、それぞれ強度、水平垂直の直線偏光、４５°直線偏光、円偏光を表している。
【００２１】
入射光Ｉ０が、方位角θ、位相差Δの位相子ＭΔθを透過した場合の透過光は式（１）のようにかける。
入射光Ｉ０を水平直線偏光（１，１，０，０）として、方位角４５°の１／４λ板の場合、射出光Ｉ１は、右回り円偏光（１，０，０，１）となる。・・・式（２）
同様に、入射光Ｉ１を、位相とびπの反射ミラーで反射させると、ミラー反射を理想１００％と仮定すれば、射出光Ｉ２は左回り円偏光（１，０，０，−１）となる。・・・式（３）
最後に復路にて、入射光Ｉ２は復路からみて方位角−４５°（往路とは左右対称）の１／４λ板を通過するので、射出光Ｉ３は垂直直線偏光（１、−１，０，０）・・・式（４）となることがわかる。
【００２２】
上記は、水平→垂直直線偏光への変換を説明するものであるが、垂直→水平直線偏光への変換も同様の手法作用によって、変換が可能である。この作用によって第二の光路については、偏光分離手段にて最初反射したＳ偏光成分をミラー反射介してＰ偏光に変換することができ、二回目に入射する際には透過光として利用することができるものである。また、第一および第二の光路による結像位置は設計によって同じとすることもできる。
【００２３】
上記構成によれば、第一の光学系に比して、第二の光学系は分離手段によって光路を第一の光学系光軸とは交差する方向に展開することにより光路を稼ぐことができる。交差する角度については、相互光学系部品が干渉しなければよく、光束分離角度については、特に９０°折り曲げの限りではない。このため、第一の光学系焦点距離に比して、第二光学系の焦点距離を長く設計することが可能である。
【００２４】
上記により撮像素子１４上には第一および第二の光学系による像が２つ同時に取得できるものであるが、実際撮像する場合には画像切り替え手段が必要である。
【００２５】
本実施例では、偏光選択手段１６を電子撮像素子上に配置した偏光子によって画像を選択することができる。図２に示す、偏光子について相互に直交する透過軸を有する、水平および垂直直線偏光子を切り替える手段によれば画像を分離することができるものである。
【００２６】
上記に説明した構成により、視差のない異焦点画像を１枚の撮像素子に同時に取得することができるものである。
【００２７】
以下に、構成などの作用について説明する。
撮像素子と光学系を有し、
前記光学系は、第一と第二の焦点距離を有する光路に分離する手段を有し、
前記、第一と第二の異焦点光路については相互に光軸が交差し、
偏光選択により焦点距離を切り替えることを特徴としている。
【００２８】
上記のように、第一および第二の光学系について、光路を偏光分離して各々光路について一部独立に構成することにより、異焦点画像を同じ撮像素子に撮像することができる。
【００２９】
各々の光路による撮像素子での結像画像の分離切り替えについては、偏光選択手段により画像を切り替えることができるものである。
【００３０】
前記光学系の異焦点光路については、相互に共通な光路を有すること、また前記光学系を構成する第一および第二の光学系について、
相互に光軸を分離した後、合流して同じ１枚の撮像素子に像を結ぶことを特徴としている。
【００３１】
これによって、撮像素子を一つとしても同時に異焦点画像を取得することができ、また光学系を構成するレンズ素子配置の効率化、つまり省スペース配置が可能となり、簡素な光学系を実現することできる。
【００３２】
望ましくは、前記光束分離手段で反射する第二の光路について、
２回目に分離手段に入射する際には、透過し、
３回目に分離手段に入射する際には、反射することを特徴としている。
【００３３】
この構成によれば、分離手段についてハーフミラーなどで構成した場合と比較して２回目に分離手段に入射しても反射して被写体側に光束がもどらないような、つまり光束ロスの少ない構成とすることができる。
【００３４】
また前記光学系には、偏光分離手段と、前記偏光分離手段を往復する光路を有し、
前記往復光路中には反射手段を有することを特徴としている。
【００３５】
光路として同じ素子を往復するような構成とすることによって、屈折力を効率よく使用することができ、光学系構成の簡素化に効果を奏するものである。
【００３６】
前記反射手段を有し往復する第二の光学系は、第一の光学系よりも焦点距離が長いことを特徴としている。
【００３７】
前記のように、特に第二の光学系については、第一の光学系に比して光路長を反射手段など介して取り回すことで長く設計することができ長い焦点距離光学系の実現も可能になる。見方を変えると、望遠光学系の割には、小型省スペース化が可能となり、簡素な光学系を実現することができるものである。さらに前記撮像素子は１つで素子上に偏光子を有し、異焦点画像を同時取得することで、偏光切り替え装置を別途介することなく同時撮像が可能となる利点がある。
【００３８】
以下、実施例２以降について順を追って説明する。
【００３９】
［実施形態２］
以下、実施形態２の光学装置の概要構成を説明する。図３は実施形態２についてくくりつけカメラ用途のレンズに適用した場合の概略構成図を示す。
【００４０】
電子撮像装置１は、撮像光学系２０とカメラ部２からなる。カメラ部は、撮像素子２４と、液晶表示部２５とを有する。前記撮像素子２４と光学系の間の空間には偏光選択手段２６が設けられている。
【００４１】
撮像光学系は被写体からの光を前玉レンズ（Ｇ１）にて取り込んだ後に、分離手段２１によって第一および第二の光学系に光束分離される。具体的に前記分離手段としては、偏光分離プリズムが配置されており、第一実施例がミラーで構成していたが、本例のようにプリズムにて分離構成することも可能である。この場合、ミラー透過による非点収差の影響は無視できる。第二の光学系については位相板２７によって、先述のように分離手段を往復することができる。
【００４２】
本実施形態では、第一光学系は前記分離手段を透過して、像側リレー部（最も像側配置の両凸レンズ）を通して、撮像素子に被写体の像を結ぶ構成となる。この場合、第一および第二の光学系との間で偏光分離手段によって光量を約半分ずつ分け合うことになる。
【００４３】
一方、第二光学系は前記分離手段を反射した光束は、ミラー１：２２によって光路を折り返して再度分離手段を、今度は透過する。その後、ミラー２：２３によって再度光路を折り返して、分離手段によって反射して第一の光学系と共通部であるリレー部に入射して撮像素子に被写体の像を結ぶものである。図７には、偏光分離手段の透過率特性を示す。前記反射ミラー部については、特に平面ミラーに限ったものではなく、パワーもった曲面曲面鏡としても良い。本例ではパワーをもった曲面鏡としている。
【００４４】
上記構成によれば、第一の光学系に対して、第二の光学系は光束分離手段によって光路を第一の光学系光軸とは交差する方向に展開することにより光路長を稼ぐことができる。
【００４５】
交差する角度については、相互光学系が干渉しなければよく、分離角度については、特に９０°折り曲げの限りではない。このため、第一の光学系焦点距離に比して、第二光学系の焦点距離を長く設計することが可能である。
【００４６】
本実施形態では、偏光選択手段２６を電子撮像素子の手前に配置した直線偏光子によって画像を選択することができるものである。例えば、第一の光学系による画像を取得したい場合は、水平直線偏光（図３：紙面平行振動面）が透過軸となるように、第二の光学系による画像を取得したい場合は、垂直直線偏光（図３：紙面に対して垂直振動面）が透過軸となるように設定すればよい。
【００４７】
本実施形態では説明上、偏光選択手段を撮像素子上ではなく光路中に設けているが、実施形態１で説明したように電子撮像素子上に偏光子を設けて同時撮像する手法としても良い。その他の点は、実施形態１と同じなので詳細説明は割愛する。
【００４８】
［実施形態３］
以下、実施形態３の光学装置の概要構成を説明する。図４は実施形態３についてくくりつけカメラ用途のレンズに適用した場合の概略構成図を示す。電子撮像装置１は、撮像光学系３０とカメラ部２からなる。カメラ部は、撮像素子３４と、液晶表示部３５とを有する。前記撮像素子３４には偏光選択手段３６が設けられている。
【００４９】
撮像光学系は被写体からの光を前玉レンズ（Ｇ１）にて取り込んだ後に、分離手段３１によって第一および第二の光学系に光束分離される。具体的に前記分離手段としては、偏光分離ミラーとしている。透過率としては図７のような特性としている。第二の光学系については位相板３７によって、先述のように分離手段を往復することができる。
【００５０】
本実施形態では分離手段をミラー構成とすることで、非撮影時にはミラーを畳んで、空いたスペースにレンズを収納するなど考えても良い。図５は、実施形態３の構成レンズについて、非撮影時に分離手段であるミラーを立てて収納し（（Ａ））、空いたスペースにＧ１レンズを収納（（Ｂ））した例を図示している。レンズなどの素子干渉が懸念される場合は、必要に応じて第二光路に配置されるミラーおよびレンズを移動させてもよい。
【００５１】
本実施形態では、実施形態１と同様、偏光選択手段３６を電子撮像素子に配置した直線偏光子によって画像を切り替え選択することができるものである。その他の点は、実施形態２と同じなので詳細説明は割愛する。
【００５２】
以上、本発明の好ましい実施形態について説明したが、本発明はこれらの実施形態に限定されず、その要旨の範囲内で種々の変形及び変更が可能である。
【符号の説明】
【００５３】
１  電子撮像装置、２  カメラ部、１０，２０，３０  撮像光学系、
１１，２１，３１  偏光分離手段、１２，２２，３２  ミラー１、
１３，２３，３３  ミラー２、１４，２４，３４  撮像素子、
１５，２５，３５  液晶表示部、１６，２６，３６  偏光選択手段、
１７，２７，３７  位相板、４０  偏光子アレイ、４１  ＣＣＤ
【図１】
2016129276.tif 000003
【図２】
2016129276.tif 000004
【図３】
2016129276.tif 000005
【図４】
2016129276.tif 000006
【図５】
2016129276.tif 000007
【図６】
2016129276.tif 000008
【図７】
2016129276.tif 000009